(57)【要約】【課題】近傍に流れ込んだ遊技球をスムーズに流下させることが可能な照明装置、及び、当該照明装置を備えた遊技機を提供する。【解決手段】遊技機はパトランプ１４を備えている。パトランプ１４は、基体３０と、周壁部３２と、上蓋部３３とを備えている。そして、遊技機における遊技球が流下する領域に、第一壁部３２Ａを遊技者側に向けた状態で取り付けられる。この状態で第一上蓋部３３Ａ上に進入した遊技球は、傾斜９１や第三上蓋部３３Ｃを伝って下方に落下する。また、第二上蓋部３３Ｂ上に進入した遊技球は、溝壁１７Ｂを伝って溝凹１７Ａに誘導され、溝部１７を伝って端部に通流し、下方に落下する。これにより、遊技球がパトランプ１４付近に滞留し、遊技球が詰まってしまって遊技進行を阻害してしまう不具合を防止する。【選択図】図３
2010035839.tif 000002
【特許請求の範囲】
【請求項１】
取付対象部材に取り付けられる基体と、
前記基体に設けられ、透明性を有するグローブと、
前記グローブの内側に設けられた光源と
を備えた照明装置であって、
前記グローブは、
前記基体より上方に延設された周回状の周壁部と、
前記周壁部の上方側の端部より延設され、当該周壁部にて包囲された空間を上方より覆うように設けられた上蓋部とを備え、
前記上蓋部に傾斜が設けられており、
遊技機における遊技球が流下可能な領域に配置されることを特徴とする照明装置。
【請求項２】
前記光源より放射された光を反射させる反射体であって、所定の回動中心軸線を中心に回動可能に設けられた反射体を備え、
光の照射方向を所定の回動中心軸線の周りに変遷させながら光を周囲に照射可能であることを特徴とする請求項１に記載の照明装置。
【請求項３】
前記グローブは、
前記基体より上方に延設された周壁部であって、前記回動中心軸線を中心軸とする円弧形状を有する第一壁部と、前記第一壁部の円弧端部の一方より円弧の接線方向に設けられた第二壁部と、前記第一壁部の円弧端部の他方より円弧の接線方向に設けられた第三壁部と、前記第二壁部及び前記第三壁部における前記第一壁部と接する端部の反対側端部どうしを架設するように設けられた第四壁部とからなる周壁部と、
前記周壁部の上方側の端部より延設され、当該周壁部にて包囲された空間を上方より覆うように設けられた上蓋部とを備え、
前記上蓋部に傾斜が設けられていることを特徴とする請求項１又は２に記載の照明装置。
【請求項４】
前記上蓋部における前記第四壁部と接する部分に、当該第四壁部の架設方向に傾斜した凹部が設けられていることを特徴とする請求項３に記載の照明装置。
【請求項５】
前記光源は、
前記第一壁部と前記上蓋部とにより包囲された空間である第一空間であって、前記回動中心軸線上に設けられていることを特徴とする請求項３又は４に記載の照明装置。
【請求項６】
前記光源からの光放射を制御する制御手段と、
前記制御手段が実装された制御基板とを備え、
前記制御基板は、
前記第二壁部、前記第三壁部、及び前記第四壁部にて包囲された空間である第二空間に設けられていることを特徴とする請求項３乃至５のいずれかに記載の照明装置。
【請求項７】
請求項１乃至６のいずれかに記載の照明装置を備えた遊技機。
【発明の詳細な説明】
【技術分野】
【０００１】
本発明は照明装置及び遊技機に関する。そしてより詳細には、周壁部と上蓋部とから構成され、当該上蓋部が傾斜しているグローブを有する照明装置及び照明装置を備えた遊技機に関する。
【背景技術】
【０００２】
従来、遊技機における光の演出としては、ランプやＬＥＤ等の発光体によるものが知られている。また、かかる演出の種類としては、色の異なる発光体を複数個設置して複数色の光を発したり、発光体の点滅パターンを変化させたり、あるいは発光体の光量を変化させたりすること等が一般的である。しかしながら、このような従来の演出は今ひとつインパクトに欠けていた。
【０００３】
そこで最近では、動きのないランプやＬＥＤ等に代えて動きのあるダイナミックな発光体、具体的には回転灯を遊技盤に取り付け、大当たり遊技状態や大当たり遊技が開始する確率が高い状態（リーチ状態）において回転灯の反射体の旋回速度を制御することにより、効果的な光の演出を行うことが提案されている（例えば、特許文献１参照）。
【０００４】
なお、周知の回転灯としては、収容空間を形成するレンズカバー内の下部中央位置に発光体を固定配置し、その発光体の周囲を旋回するように反射体を回転可能に配設し、その反射体を旋回駆動させる専用の駆動手段（通常はモータ） を反射体及び発光体の下部に配設した構成を備えるものが一般的である。
【特許文献１】特開２００６−２６２５９号公報
【発明の開示】
【発明が解決しようとする課題】
【０００５】
しかしながら、回転灯を遊技者より視認しやすいように、遊技球の通過エリアに配置した場合、回転灯の上面部に遊技球が滞留してしまってスムーズに流下されず、遊技機の遊技進行が妨げられてしまうという問題点があった。
【０００６】
本発明は上述の問題点を解決するためになされたものであり、近傍に流れ込んだ遊技球をスムーズに流下させることが可能な照明装置、及び、当該照明装置を備えた遊技機を提供することを目的とする。
【課題を解決するための手段】
【０００７】
上述の問題点を解決するために、請求項１に係る発明の照明装置は、取付対象部材に取り付けられる基体と、前記基体に設けられ、透明性を有するグローブと、前記グローブの内側に設けられた光源とを備えた照明装置であって、前記グローブは、前記基体より上方に延設された周回状の周壁部と、前記周壁部の上方側の端部より延設され、当該周壁部にて包囲された空間を上方より覆うように設けられた上蓋部とを備え、前記上蓋部に傾斜が設けられており、遊技機における遊技球が流下可能な領域に配置されることを特徴とする。
【０００８】
また、請求項２に係る発明の照明装置は、請求項１に記載の発明の構成に加えて、前記光源より放射された光を反射させる反射体であって、所定の回動中心軸線を中心に回動可能に設けられた反射体を備え、光の照射方向を所定の回動中心軸線の周りに変遷させながら光を周囲に照射可能であることを特徴とする。
【０００９】
また、請求項３に係る発明の照明装置は、請求項１又は２に記載の発明の構成に加えて、前記グローブは、前記基体より上方に延設された周壁部であって、前記回動中心軸線を中心軸とする円弧形状を有する第一壁部と、前記第一壁部の円弧端部の一方より円弧の接線方向に設けられた第二壁部と、前記第一壁部の円弧端部の他方より円弧の接線方向に設けられた第三壁部と、前記第二壁部及び前記第三壁部における前記第一壁部と接する端部の反対側端部どうしを架設するように設けられた第四壁部とからなる周壁部と、前記周壁部の上方側の端部より延設され、当該周壁部にて包囲された空間を上方より覆うように設けられた上蓋部とを備え、前記上蓋部に傾斜が設けられていることを特徴とする。
【００１０】
また、請求項４に記載の照明装置は、請求項３に記載の発明の構成に加えて、前記上蓋部における前記第四壁部と接する部分に、当該第四壁部の架設方向に傾斜した凹部が設けられていることを特徴とする。
【００１１】
また、請求項５に係る発明の照明装置は、請求項３又は４に記載の発明の構成に加えて、前記光源は、前記第一壁部と前記上蓋部とにより包囲された空間である第一空間であって、前記回動中心軸線上に設けられていることを特徴とする。
【００１２】
また、請求項６に係る発明の照明装置は、請求項３乃至５のいずれかに記載の発明の構成に加えて、前記光源からの光放射を制御する制御手段と、前記制御手段が実装された制御基板とを備え、前記制御基板は、前記第二壁部、前記第三壁部、及び前記第四壁部にて包囲された空間である第二空間に設けられていることを特徴とする。
【００１３】
また、請求項７に係る発明の遊技機は、請求項１乃至６のいずれかに記載の照明装置を備えている。
【発明の効果】
【００１４】
請求項１に係る発明の照明装置では、グローブの上蓋部には傾斜が設けられているので、遊技球が遊技盤内を流下する過程において上蓋部に流れ込んだ場合に、遊技球をスムーズに下方に流下させることが可能となる。これにより、遊技球が照明装置付近に詰まってしまい、遊技機の遊技進行が妨げられてしまうことを防止することが可能となる。
【００１５】
また、請求項２に係る発明の照明装置では、請求項１に記載の発明の効果に加えて、照明装置は所謂回転灯（パトライト（登録商標）など）であるので、遊技者の注意を強く引き付け、効果的な演出を行うことが可能となる。
【００１６】
また、請求項３に係る発明の照明装置では、請求項１又は２に記載の発明の効果に加えて、グローブの上蓋部には傾斜が設けられているので、遊技球が遊技盤内を流下する過程において上蓋部に流れ込んだ場合に、遊技球をスムーズに下方に流下させることが可能となる。これにより、遊技球が照明装置付近に詰まってしまい、遊技機の遊技進行が妨げられてしまうことを防止することが可能となる。
【００１７】
また、請求項４に係る発明の照明装置では、請求項３に記載の発明の効果に加えて、照明装置の第四壁部が遊技盤に面接する状態で、照明装置を遊技機に設置した場合には、第四壁部と遊技盤との隙間に遊技球が滞留しやすい状態となってしまうが、上蓋部における第四壁部と接する部分に傾斜を設けることにより、この部分に遊技球が流れ込んだ場合であっても、スムーズに下方に流下させることが可能となる。これにより、照明装置が遊技球の通過領域に設置され、多数の遊技球が照明装置の上蓋部に流れ込むような状態であっても、遊技球が照明装置付近に詰まってしまうことを防止することが可能となるので、遊技機の遊技進行が妨げられてしまうことを防止することが可能となる。
【００１８】
また、請求項５に係る発明の照明装置では、請求項３又は４に記載の発明の効果に加えて、反射体を回動させることにより、光源から放射された光を３６０°全周囲方向に放射させることが可能となる。遊技者は、このような演出がなされた場合に、何らかの新しい遊技状態が発生したことを想起するので、遊技者に対して効果的に遊技状態を通知することが可能となる。
【００１９】
また、請求項６に係る発明の照明装置では、請求項３乃至５のいずれかに記載の発明の効果に加えて、光源からの光放射を制御する制御手段、及び当該制御手段が実装された制御基板の格納スペースを遊技機内に別途設ける必要がなくなるので、遊技機全体を小型化することが可能となる。また、光源の直近に制御基板を設置することが可能となるので、ハーネス等により光源と制御基板とを接続する必要がなくなり、要する部材コストを抑制することが可能となる。
【００２０】
また、請求項７に係る発明の遊技機では、請求項１乃至６のいずれかに記載の発明の効果に加えて、照明装置は、遊技機のうち遊技球が流下する遊技エリアに設けられているので、遊技者は遊技球の状態を確認しつつ、同時に照明装置を視認することが可能となるので、照明装置の視認が容易となる。また、遊技球が照明装置付近を流下する場合においても、上蓋部に遊技球が留まり照明装置周辺に滞留する状態を防止することが可能となるので、遊技球滞留による遊技進行妨害の発生を抑制することが可能となる。
【発明を実施するための最良の形態】
【００２１】
以下、本発明の一実施の形態について、図面を参照して説明する。まず、本発明の照明装置であるパトランプ１４が設けられた遊技機１の物理的構成について、図面を参照して説明する。図１は、遊技機１の正面図であり、図２は、遊技盤２の正面図である。
【００２２】
図１に示すように、遊技機１の正面の上半分の部分には、発射ハンドル７の操作により図示外の発射機から発射された遊技媒体としての遊技球が流下する遊技盤２が設けられている。この遊技盤２は略正方形であり（図２参照）、透明なガラス板を保持した前面枠１３で保護されている。遊技盤２の下方部には、発射機に遊技球を供給し、且つ賞品球を受ける上皿５が設けられている。そして、上皿５の直下には、賞品球を受ける下皿６が設けられ、下皿６の右横には遊技球の発射を調整する発射ハンドル７が設けられている。さらに、前面枠１３の上部の左右の角にはスピーカ４８がそれぞれ設けられている。また、前面枠１３の前面には演出用の電飾ランプが多数設けられている。
【００２３】
また、図２に示すように、遊技盤２の前面にはステンレス製帯板から構成されたガイドレール３を渦巻き状に配置して、当該ガイドレール３に囲まれた略円形の遊技領域４が設けられている。この遊技領域４の略中央には、ＬＣＤから構成された表示画面２８、各種ランプ、ＬＥＤ等を備えた図柄表示装置８が設けられ、図柄表示装置８の下方には、大当たりを知らせるパトランプ１４が設けられている。さらに、図柄表示装置８の左下には風車９が設けられ、図柄表示装置８の左側には普通図柄始動ゲート１２が設けられている。また、図柄表示装置８の下側には第一始動口１５が設けられており、第一始動口１５の下方に大入賞口１６が設けられている。大入賞口１６の下部には、入賞しなかった遊技球を回収するアウトロ３７が設けられている。そして、第一始動口１５には、左開放羽１８、右開放羽１９が設けられている。左開放羽１８、右開放羽１９は、普通図柄始動ゲート１２を遊技球が通過することを契機として開放する。例えば、普通図柄始動ゲート１２を遊技球が通過することによって、抽選により左開放羽１８、右開放羽１９を開放する。また、図柄表示装置８の外部から遊技部材５０へ遊技球案内する前ワープ入口２２及び後ワープ入口２３が図柄表示装置８の左端に設けられている。図柄表示装置８の特別図柄表示エリア１１には、第１特別図柄表示部、第２特別図柄表示部が設けられている。さらに、図柄表示装置８内の下方には遊技部材５０が図柄表示装置８に嵌合している。なお、遊技盤２には、上記以外に種々の電飾ランプやその他の電飾用ＬＥＤ、風車及び多数の障害釘等が設けられている。
【００２４】
次に、図３乃至図５を参照し、本発明の要部であるパトランプ１４の物理的構成について説明する。図３は、パトランプ１４を斜め上方向から見た斜視図であり、図４は、パトランプ１４の上面図であり、図５は、パトランプ１４の背面図である。なお、図４における紙面左側をパトランプ１４の前方、紙面右側をパトランプ１４の後方、紙面上側をパトランプ１４の左方、紙面下側をパトランプ１４の右方、紙面手前側をパトランプ１４の上方、紙面手奥行き側をパトランプ１４の下方と定義する。
【００２５】
パトランプ１４は、図３に示すように、遊技機１における入賞案内平面７０（図８参照、後述）の上側に取り付けられる基体３０を備えている。基体３０の前面には、装飾用の凹凸部２９が設けられている。また、基体３０の上側には、透明性を有するグローブ３１が取り付けられている。グローブ３１は、基体３０より鉛直方向に延設された周壁部３２と、周壁部３２の上方側の端部より延設され、周壁部３２にて包囲された空間を上方より覆うように設けられた上蓋部３３とから構成されている。なお、グローブ３１の内側には、光源４１（図参７照、後述）と、光源４１より放射された光を反射させるために回動可能に設けられた反射体４２（図７参照、後述）とが格納されているが、詳細は後述する。
【００２６】
また図４に示すように、パトランプ１４の周壁部３２は、グローブ３１における周側面を構成する部分であり、第一壁部３２Ａ、第二壁部３２Ｂ、第三壁部３２Ｃ、及び第四壁部３２Ｄから構成されている。第一壁部３２Ａは、反射体４２の回動中心軸線を中心軸とする略半円の円弧形状を有しており、前方に凸湾曲している。第二壁部３２Ｂは、第一壁部３２Ａにおける右側の円弧端部より、円弧の接線方向であってパトランプ１４の後方に向かって延設されている。第三壁部３２Ｃは、第一壁部３２Ａにおける左側の円弧端部より、円弧の接線方向であってパトランプ１４の後方に向かって延設されている。第二壁部３２Ｂと第三壁部３２Ｃとは、前後方向の長さ及び上下方向の長さが其々略同一となっている。第四壁部３２Ｄは、第二壁部３２Ｂ及び第三壁部３２Ｃにおける第一壁部３２Ａと接する端部の反対側端部どうしを架設するように設けられている。
【００２７】
また、パトランプ１４の上蓋部３３は、グローブ３１における上側面を構成する部分であり、第一上蓋部３３Ａ、第二上蓋部３３Ｂ、及び第三上蓋部３３Ｃから構成されている。第一上蓋部３３Ａは、第一壁部３２Ａの上側端部より延設されている。そして、上面視形状が、第一壁部３２Ａの円弧形状を円周の一部として有する円形状となっている。第二上蓋部３３Ｂは、第二壁部３２Ｂ、第三壁部３２Ｃ、及び第四壁部３２Ｄの上側端部を架設するように設けられている。また、第一壁部３２Ａと、第二壁部３２Ｂ〜第四壁部３２Ｄ（図４参照）とは、その上下方向の長さが異なっており、第一壁部３２Ａの方が第二壁部３２Ｂ〜第四壁部３２Ｄと比較して長い状態となっている。従って図５に示すように、これらの上端部分に覆設された状態となる第一上蓋部３３Ａ及び第二上蓋部３３Ｂについても、双方間に段差が設けられた状態となっている（第一上蓋部３３Ａの方が第二上蓋部３３Ｂと比較して上方向に高い状態となっている。）。そして第三上蓋部３３Ｃにより、第一上蓋部３３Ａと第二上蓋部３３Ｂとが架設された状態となっている。
【００２８】
第一上蓋部３３Ａには、図３に示すように、上面視略円形状における中心から円周方向に向かって下方に傾斜する傾斜９１が設けらている。また第三上蓋部３３Ｃは、図５に示すように、第一上蓋部３３Ａの上面視略円形状における中心から円周方向に向かう方向に下降傾斜している。これにより、第一上蓋部３３Ａ上に進入した遊技球を下方にスムーズに落下させ、上蓋部３３Ａ上に遊技球が滞留してしまって遊技進行の妨げとなってしまうことを防止している（詳細は後述する。）。
【００２９】
さらに、図３及び図５に示すように、第二上蓋部３３Ｂのうち第四壁部３２Ｄと接する部分には、右方に向かって下方に傾斜する溝部１７が設けられている。溝部１７の底凹部分である溝凹１７Ａは、第四壁部３２Ｄと連接するように形成されている。また溝凹１７Ａの前方には、溝凹１７Ａより延設する壁部である溝壁１７Ｂが設けられている。溝凹１７Ａの前後方向の幅は、右方に向かうに従い細くなるように設定されている。また溝壁１７Ｂには、パトライト１４の前方から後方に向けて下降する傾斜が設けられている。溝部１７は、パトランプ１４が遊技機１に取り付けられた状態で、図柄表示装置８（図２参照）と溝壁１７Ｂとで挟まれた部分に遊技球の流路を形成させる。これにより、第二上蓋部３３Ｂ上に遊技球が進入した場合に、溝壁１７Ｂにより溝凹１７Ａ側に遊技球を誘導し、当該遊技球を溝凹１７Ａを通してスムーズに右端に誘導して下方に流下させることが可能となっている（詳細は後述する。）。
【００３０】
なお、本実施の形態では、第二上蓋部３３Ｂに溝部１７が設けられ、この溝部１７を傾斜させることによって、第二上蓋部３３Ｂ上に進入した遊技球を効率的に右端に誘導しているが、本発明はこの構成に限定されない。従って、溝部１７は左方に向かって下るように傾斜していてもよいし、中心付近を頂点として左右方に傾斜していてもよい。
【００３１】
なお、グローブ３１の内方空間のうち、第一上蓋部３３Ａの下方に位置する空間を、以下「第一空間」といい、第二上蓋部３３Ｂの下方に位置する空間を、以下「第二空間」という。
【００３２】
また図３に示すように、パトランプ１４の第二壁部３２Ｂには第一凹部３４Ａが設けられている。そして、第一凹部３４Ａの下方壁面に、下方向にネジを螺入させることが可能なネジ穴３５が設けられている。また図４に示すように、第三壁部３２Ｃには第二凹部３４Ｂが設けられており、第二凹部３４Ｂの下方壁面に、下方にネジを螺入させることが可能なネジ穴３６が設けられている（第一凹部３４Ａ及び第二凹部３４Ｂを総称し、「凹部３４」という。）。凹部３４は、ネジ穴３５及びネジ穴３６からネジを下方に螺入し、基体３０にグローブ３１を固定させるために設けられている。
【００３３】
また図５に示すように、基体３０の下面には、第一凸部２７Ａ及び第二凸部２７Ｂが設けられている（以下、第一凸部２７Ａ及び第二凸部２７Ｂを総称し、「凸部２７」という。）。凸部２７は、パトランプ１４が遊技機１に取り付けられる場合に、入賞案内平面７０（図８参照）に設けられた凹部（図示外）に挿入される。これにより、パトランプ１４が取り付けられる位置を確定させることが可能となっている。
【００３４】
次に、図６及び図７を参照し、パトランプ１４の内部の物理構成について説明する。図６は、グローブ３１を取り外した状態におけるパトランプ１４の上面図であり、図７は、グローブ３１を取り外した状態におけるパトランプ１４の正面図である。
【００３５】
図６に示すように、パトランプ１４は、基体３０とグローブ３１とで覆われた空間内のうち第一空間に、光源４１（図７参照）と、光源４１を支持するための支持台４０と、反射体４２とが設けられている。光源４１は、図７に示すように、支持台４０の上側部分に埋め込まれた第一光源４１Ａと、支持台４０の上下方向中間部分に埋め込まれた第二光源４１Ｂとから構成されている。そして光源４１には、基体３０に設けられた穴（図示外）を介したケーブルを経由し、遊技機１本体側より電源が供給される。これにより光源４１は発光可能となっている。また、支持台４０は、図６及び図７に示すように円柱形状を有しており、基体３０の上面より上方鉛直方向に立設された状態で基体３０に固定されている。なお光源４１としては、従来周知の様々な発光素子が使用可能である。
【００３６】
また反射体４２は、図７に示すように、内部に空洞部を有する略半球体形状を有している。そして、反射体４２の開口部４２Ａの開口方向が光源４１に向けられた状態となっている。また図６に示すように、反射体４２は、架設部４４を介して回動部４３に固定されている。回動部４３は、光源４１が埋め込まれた状態の支持台４０を回転中心として回動可能なように構成されている。従って、回動部４３が回動することにより、反射体４２は、支持台４０の延設方向を回動中心軸とし、常に開口部４２Ａを支持台４０（及び光源４１）の方向に向けた状態で、支持台４０の周囲を回動することが可能となっている。反射体４２の開口内壁面には、光を反射させやすいように鏡面加工が施されている。従って、反射体４２が回動部４３の回動に基づき支持台４０の周囲を回動した場合に、光源４１にて発せられた光を反射させ、周囲に照射させることが可能となっている。
【００３７】
なお回動部４３は、基体３０に設けられた穴（図示外）を介してモータ（図示外）と接続している。そして、モータの回転を制御することにより、反射体４２の回動駆動を制御することが可能となっている。
【００３８】
また図６に示すように、基体３０には、下方にネジを螺入させることが可能なネジ穴２０〜ネジ穴２５が設けられている。これらのネジ穴のうち、ネジ穴２０及びネジ穴２１は、グローブ３１が取り付けられた状態で、グローブ３１に設けられているネジ穴３５及びネジ穴３６（図４参照）と重なる位置に設けられている。そして、ネジ穴３５及びネジ穴３６より挿入されたネジがネジ穴２０及びネジ穴２１に螺入することにより、基体３０とグローブ３１とが螺設させる。また、ネジ穴２４及びネジ穴２５は、ネジを下方に螺入することにより、基体３０を遊技機１における入賞案内平面７０（図８参照、後述）の上側に螺設させるために設けられている。
【００３９】
さらに図６に示すように、グローブ３１が覆設された状態における第二空間には、制御基板４７が平面部を前後方向に向けた状態で固定され配置されている。制御基板４７には、ＣＰＵ１００と通信コネクタ２６とが実装されている。ＣＰＵ１００は、光源４１の発光制御、及び反射体４２を回転させる回動部４３の回動制御を実行する為に設けられている。また、通信コネクタ２６は、図示外のメイン制御基板に実装されているＣＰＵとＣＰＵ１００との間で通信を行うために設けられている。そしてＣＰＵ１００は、通信コネクタ２６を経由して受信するメイン制御基板からの指示コマンドに従い、光源４１に供給する電源を制御する。これにより、光源４１の発光制御を行うことが可能となっている。またＣＰＵ１００は、同様にメイン制御基板からの指示コマンドに従い、回動部４３と接続した状態のモータの回転を制御する。これにより、反射体４２の回動制御を行うことが可能となっている。そしてＣＰＵ１００がこれらの制御を行うことによって、パトランプ１４を駆動させることが可能となっている。
【００４０】
以上説明したように、パトランプ１４は、基体３０と周壁部３２（第一壁部３２Ａ〜第四壁部３２Ｄ）と上蓋部３３（第一上蓋部３３Ａ〜第三上蓋部３３Ｃ）とを備えた構成を有している。そして、第一空間に設けられた光源４１の発光制御、及び反射体４２の回動制御を行うことによって、パトランプ１４を発光させることが可能となっている。またパトランプ１４は、第二空間に光源４１及び反射体４２の駆動制御を行うための制御基板４７を格納する。これにより、制御基板４７を格納するために必要な空間を遊技機１側に別途設ける必要がなくなる。従って、遊技機１におけるパトランプ１４周辺の省スペース化が可能となる。
【００４１】
次に、パトランプ１４が遊技機１に取り付けられた状態の遊技機１の物理的構成について、図８及び図９を参照して説明する。図８は、遊技機１に取り付けられた状態のパトランプ１４の周辺部分を斜め上方向から見た斜視図であり、図９は、遊技機１に取り付けられた状態のパトランプ１４の周辺部分の上面図である。
【００４２】
図８に示すように、図柄表示装置８（図２参照）内の下部、第一始動口１５（図２参照）の上方に、遊技部材５０が設けられている。遊技部材５０は、図９に示すように、上面視略長方形を有している。そして、遊技球を振り分ける部材であるクルーン６０が、遊技部材５０の中心付近に設けられており、パトランプ１４が、クルーン６０の右側に設けられている。
【００４３】
次に、図８及び図９を参照し、遊技部材５０における遊技者側の遊技球の通路である前レーン５１の構造について説明する。前レーン５１は、前ワープ入口２２（図１参照）に進入した遊技球を右方向に通流させるために設けられた流路であり、根元部５３と中間部５４と振分部５７とから構成されている。これらのうち根元部５３は、遊技部材５０の左端部に設けられ、前レーン５１方向に傾斜した補助傾斜面５５に連設する部分である。また中間部５４は、左端部が根元部５３に連設した、上面視Ｓ字形状を有する遊技球通路部分である。また振分部５７は、中間部５４の右端部に連設しており、遊技球を第一始動口１５の方向へ振り分ける。
【００４４】
これらのうち、根元部５３及び中間部５４には、図８に示すように、遊技球をガイドする壁である前レーン内壁部８２と前レーン外壁部８３とが遊技球の進行方向の左右両端に垂設されている。また、補助傾斜面５５の遊技球流路上流側には、前レーン５１方向に傾斜した前傾斜面５８が連設されている。また、前傾斜面５８と図柄表示装置８（図１参照）の左端部分とが一体となり、半円形状の孔である前遊技球排出口８０が形成されている。そして、前ワープ入口２２（図２参照）より遊技球が進入した場合、進入した遊技球は前遊技球排出口８０より前レーン５１に排出される。
【００４５】
また振分部５７は、両端部分に設けられた凸形状のガイドである左外側ガイド７１及び右外側ガイド７２と、左外側ガイド７１及び右外側ガイド７２の其々の内側に設けられた凹形状のガイドである左案内路７５及び右案内路７６と、左案内路７５及び右案内路７６の其々の内側に設けられた突起状の左内側ガイド７３及び右内側ガイド７４と、左内側ガイド７３及び右内側ガイド７４とで挟まれる部分に設けられた突起部７７とから構成されている。そして、前レーン５１を通流し振分部５７に到達した遊技球は、振分部５７にて下方への落下部分が振り分けられる。
【００４６】
次に、図８及び図９を参照し、遊技部材５０における遊技盤２側の遊技球の通路である後レーン５２について説明する。後レーン５２は、後ワープ入口２３（図１参照）に進入した遊技球を右方向に通流させるために設けられた流路である。そして、その左端側において、後レーン５２方向に傾斜した後傾斜面５９と連設している。また図８に示すように、遊技球をガイドする壁である後レーン内壁部８４と後レーン外壁部８５とが遊技球の進行方向の左右両端に垂設されている。また、後傾斜面５９と図柄表示装置８の左端部分とが一体となり、半円形上の孔である後遊技球排出口８１が形成されている。そして、後ワープ入口２３（図２参照）より遊技球が進入した場合、進入した遊技球は後遊技球排出口８１より後レーン５２に排出される。
【００４７】
次に、図８及び図９を参照し、クルーン６０の構造について説明する。クルーン６０は、上面視略円形状を有している。そしてその内部には、中心に向けて遊技球を誘導させるための傾斜部６５が設けられており、全体としてすり鉢状となっている。またクルーン６０は、すり鉢状の底面に相当する振分面６４に、３つの円形孔（第一入球口６１、第二入球口６２、第三入球口６３）が設けられている。第一入球口６１、第二入球口６２、及び第三入球口６３の内径は等しく、其々の中心間の距離が等間隔となるように配置されている。また、第一入球口６１の下には、第一始動口１５とは演出が異なる第二始動口（図示外）が設けられている。また、クルーン６０に設けられた第二入球口６２、第三入球口６３の下には、僅かに中間部５４の方向へ傾斜した長方形の平面である入賞案内平面７０が設けられている。
【００４８】
また、後レーン５２の右端側とクルーン６０の間には、遊技球を後レーン５２からクルーン６０に通流させるための通路である補助通路６６が設けられている。補助通路６６は、溝状の通路であり、遊技球をガイドする壁である補助通路内壁６７及び補助通路外壁６８とが遊技球の進行方向の左右両端に垂設されている。
【００４９】
次に、図８及び図９を参照し、パトランプ１４の配置状態について説明する。パトランプ１４は、クルーン６０の右方に配置される。そして、入賞案内平面７０の上面と基体３０の下面とが面接した状態で、ネジにより螺設され固定されている。そして図９に示すように、パトランプ１４のグローブ３１を構成する周壁部３２のうち、第四壁部３２Ｄが図柄表示装置８（図２参照）に面接している。これにより、パトランプ１４と図柄表示装置８とが隙間なく密接させた状態となっている。またこれにより、パトランプ１４の第二上蓋部３３Ｂに設けられている溝部１７（溝凹１７Ａ、溝壁１７Ｂ）と図柄表示装置８とで挟まれた部分に、右方に向かって傾斜する溝が形成される。
【００５０】
また、光源４１及び反射体４２が格納された第一空間部分が、第二壁部３２Ｂ及び第三壁部３２Ｃの水平方向の長さ分だけ遊技者側に突出した状態となっている。その結果、パトランプ１４全体の遊技者側への突出の程度は、ちょうどクルーン６０の突出の程度と同程度となっている。このように、パトランプ１４の発光部分がより遊技者側に近づいた状態となっているので、遊技者によるパトランプ１４の発光状態の視認が容易となっている。さらに、パトランプ１４より放射された光が遊技者側に届き易くなっているので、インパクトの強い発光演出を行うことが可能となっている。
【００５１】
次に、前ワープ入口２２及び後ワープ入口２３（図２参照）に進入した遊技球の動きについて、図８を参照して説明する。まず、前ワープ入口２２に進入した遊技球の動きについて説明する。前ワープ入口２２に進入した遊技球は、前傾斜面５８上を転がり、前レーン５１の方向へ案内される。そして遊技球は、補助傾斜面５５に当たりその勢いが和らげられる。勢いが和らげられた遊技球は、前レーン５１の根元部５３へ進入する。そして、遊技球は、その勢いで中間部５４へ進入し、前レーン内壁部８２、前レーン外壁部８３に当たりながらＳ字の経路を通過し、振分部５７に到達する。
【００５２】
振分部５７に進入した遊技球が、第一始動口１５に最も入賞にする割合が高い左内側ガイド７３と右内側ガイド７４の間の方向に進入した場合、突起部７７が障害となる。しかし、遊技球の勢いと振分部５７の内側へ遊技球が入っていく角度との関係によっては、遊技球が左内側ガイド７３と右内側ガイド７４の間へ進入して第一始動口１５の方向へ落下する可能性もある。また、遊技球が左案内路７５、及び右案内路７６へ進入し、第一始動口１５以外の方向に落下する場合もある（但し、このような場合でも、第一始動口１５へ入る確率が皆無ではなく、障害釘の向きと遊技球の勢い次第で、第一始動口１５へ入賞する可能もある。）。
【００５３】
次に、後ワープ入口２３（図２参照）に進入した遊技球の動きについて、図８及び図９を参照して説明する。後ワープ入口２３に進入した遊技球は、後傾斜面５９上を転がり、後レーン５２の方向へ案内される。そして遊技球は、後レーン５２を通過して補助通路６６へ進入する。補助通路６６へ進入した遊技球は、補助通路内壁６７及び補助通路外壁６８に遊技球の進行方向の左右方向を矯正されながら、クルーン６０の方向へ案内される。
【００５４】
クルーン６０に進入した遊技球は、一定時間、傾斜部６５に沿って周回する。そして、勢いがなくなると傾斜部６５を除々に離れ始め、振分面６４の方向へ流れ始める。そして、遊技球は第一入球口６１、第二入球口６２、及び第三入球口６３のいずれかを通過する。
【００５５】
ここで、遊技球が第一入球口６１を通過した場合、第二始動口（図示外）に入賞し、大当たり抽選が実行される。一方、第二入球口６２、及び第三入球口６３に入賞した場合には、入賞案内平面７０に落下する。そして落下した遊技球は、前レーン５１の中間部５４へ案内される。そして前レーン５１へ進入してきた遊技球と同様の経路を辿る。
【００５６】
ここで、後ワープ入口２３（図２参照）に進入した遊技球の勢いが強い場合、後レーン５２及び補助通路６６を通流した遊技球は、クルーン６０内に進入せずに通り過ぎ、クルーン６０の右方に配置された状態のパトランプ１４の第二上蓋部３３Ｂ上に到達する。ここで、第二上蓋部３３Ｂには右方に傾斜する溝部１７が形成されているから、溝部１７と図柄表示装置８とで挟まれた部分に形成される溝に沿って進入した遊技球は流れ、そのまま右端に到達し、そして入賞案内平面７０に落下して、前レーン５１へ進入してきた遊技球と同様の経路を辿る。
【００５７】
なお、本実施の形態では、溝部１７の傾斜角は特に限定されないが、水平方向に対して５度以上となるような傾斜角が好ましい。５度より小さい傾斜角である場合、遊技球が右方に流下し難くなり、第二上蓋部３３Ｂ上に進入した場合に滞留しやすくなってしまってしまうためである。なお、１０度より大きい傾斜角とした場合、遊技球は右方に流下し易くなるという効果を奏するが、遊技球の流下速度が速くなり、周辺部材に遊技球が衝突した場合に故障発生の要因となってしまうため、傾斜角は水平方向に対して５〜１０度であることがさらに好ましい。
【００５８】
ここで溝部１７は、図９に示すように、左側の溝幅が右側の溝幅と比較して広くなるように設定されている。これにより、溝部１７付近に進入した遊技球がスムーズに溝部１７に誘導されて右端に通流する。さらに、溝部１７を構成する溝壁１７Ｂは、後方に向かって下降するように傾斜が設けられている。これにより、第二上蓋部３３Ｂ上に進入した遊技球がスムーズに溝凹１７Ａ側に誘導されて溝部１７を通流し、右端に到達して入賞案内平面７０に落下する。
【００５９】
なお、本実施の形態では、溝部１７の溝凹１７Ａの前後方向の幅は特に限定されないが、溝凹１７Ａの左端部分の前後方向の幅をＮ（例えば８ｍｍ）、右端部分の前後方向の幅をＮ／２（例えば４ｍｍ）とすることが好ましい。ここでＮの値としては、６〜１０ｍｍであることが好ましい。この幅とすることにより、左方から第二上蓋部３３Ｂ上に進入した遊技球をスムーズに溝部１７に誘導し、右方に流下させることが可能となる。
【００６０】
また、クルーン６０内に進入せず通り過ぎた遊技球は、パトランプ１４の第一上蓋部３３Ａ上に到達する可能性もある。ここで第一上蓋部３３Ａ上に到達した遊技球は、第一上蓋部３３Ａ上に設けられた傾斜９１により下方に落下する。ここで下方前方に落下した遊技球は、そのまま入賞案内平面７０に落下する。また下方後方に落下した遊技球は、さらに第三上蓋部３３Ｃに設けられている傾斜により後方に誘導され、第二上蓋部３３Ｂ上に到達し、さらに、溝壁１７Ｂにより溝凹１７Ａ側に誘導され、溝部１７を伝って右端部に到達し、入賞案内平面７０に落下する。
【００６１】
ここで、溝部１７、第一上蓋部３３Ａに設けられている傾斜９１、及び第三上蓋部３３Ｃが設けられていない場合、上蓋部３３上に到達した遊技球は、パトランプ１４付近で一定時間滞留してしまう。このような状態で、クルーン６０を通り過ぎる遊技球が次々とパトランプ１４側に進入すると、遊技球が詰まってしまう。詰まってしまった遊技球は、クルーン６０側にあふれ出し、遊技球のスムーズな通流を妨げてしまうという不具合を生じさせてしまう。
【００６２】
ところが本実施の形態のように、溝部１７、第一上蓋部３３Ａに設けられている傾斜９１、及び第三上蓋部３３Ｃを設けることにより、第二上蓋部３３Ｂ上に到達した遊技球は溝部１７に沿って右端に流れ、下方に落下する。これにより、パトランプ１４付近に遊技球が滞留し、遊技球が詰まってしまう不具合を防止している。
【００６３】
さらに既述のように、パトランプ１４は、第四壁部３２Ｄ（図９参照）にて図柄表示装置８（図２参照）と密接している。従って遊技球は、第四壁部３２Ｄと図柄表示装置８との隙間に入り込んでしまい通流が阻害されることなく、スムーズに入賞案内平面７０に落下する。これにより、パトランプ１４と図柄表示装置８（図２参照）との間の隙間に遊技球が入り込んでしまい、遊技球の通流を阻害し、遊技球がパトランプ１４付近で詰まってしまって遊技機１の遊技進行を妨害してしまうような不具合の発生を防止している。
【００６４】
以上説明したように、パトランプ１４は、グローブ３１の上蓋部３３に傾斜や溝部１７を設けている。これにより、パトランプ１４付近に進入した遊技球をスムーズに溝部１７側に誘導し、さらに溝部１７を伝って右端に通流させる。これにより、遊技球がパトランプ１４付近で滞留し、遊技球が詰まってしまって遊技進行を妨げてしまう不具合の発生を防止している。
【００６５】
また、パトランプ１４は第四壁部３２Ｄにて遊技機１の図柄表示装置８と密接するので、遊技球が詰まってしまう原因となる隙間の発生を防止することが可能となる。これにより、遊技球がパトランプ１４付近で滞留し、遊技球が詰まってしまって遊技進行を妨げてしまう不具合の発生を防止している。
【００６６】
さらに、光源４１の発光制御、及び反射体４２の回動制御を実行する為のＣＰＵ１００を実装した制御基板４７を、パトランプ１４の第二空間に配置する。これにより、別途制御基板４７を配置する空間を遊技機１側に設ける必要がなくなるので、パトランプ１４周辺の省スペース化が可能となる。
【００６７】
なお、図２等に示すパトランプ１４が、本発明の「照明装置」に相当し、図３に示す溝部１７が、本発明の「凹部」に相当し、図６のＣＰＵ１００が、本発明の「制御手段」に相当する。
【００６８】
なお、本発明は上記実施の形態に限定されるものではなく、種々の変更が可能である。以下、本発明の変形例について、図面を参照して説明する。
＜変形例＞
【００６９】
図１０及び図１１を参照し、本発明の変形例について説明する。変形例では、二枚の制御基板が第二空間に配置された構成となっている。図１０は、変形例におけるグローブ３１を取り外した状態におけるパトランプ１４の右側面図であり、図１１は、変形例におけるグローブ３１を取り外した状態におけるパトランプ１４の上面図である。なお、パトランプ１４の構成のうち、上述の実施の形態と同様の部分については説明を省略する。
【００７０】
図１０及び図１１に示すように、変形例におけるパトランプ１４では、第二空間内に制御基板４７に加えて制御基板４９が配置されている。制御基板４９にはＣＰＵ１０１と通信コネクタ１０２とが実装されている。ＣＰＵ１０１は、光源４１の発光制御、及び反射体４２を回転させる回動部４３の回動制御を実行する為に設けられている。また、通信コネクタ１０２は、図示外のメイン制御基板に実装されているＣＰＵとＣＰＵ１０１との間で通信を行うために設けられている。そしてＣＰＵ１０１は、通信コネクタ１０２を経由して受信するメイン制御基板からの指示コマンドに従い、光源４１に供給する電源を制御する。これにより、光源４１の発光制御を行うことが可能となっている。またＣＰＵ１０１は、同様にメイン制御基板からの指示コマンドに従い、回動部４３と接続した状態のモータ（図示外）の回転を制御する。これにより、反射体４２の回動制御を行うことが可能となっている。そしてＣＰＵ１０１がこれらの制御を行うことによって、パトランプ１４を駆動させることが可能となっている。
【００７１】
上述の構成とすることにより、パトランプ１４は、第二空間に、光源４１及び反射体４２の駆動制御を行うために機能する制御基板４７及び制御基板４６を格納する。これにより、制御基板を格納するために必要な空間を遊技機１側に別途設ける必要がなくなる。従って、遊技機１におけるパトランプ１４周辺の省スペース化が可能となる。
【００７２】
なお上述の変形例では、ＣＰＵ１００又はＣＰＵ１０１のうち一方が光源４１の発光制御を行い、他方が反射体４２の回動制御を実行してもよい。また制御基板４７及び制御基板４９には、反射体４２を回動させるためのモータを駆動させるためのドライブ回路が実装されていてもよい。
【００７３】
なお、本発明は上記実施の形態に限定されるものではなく、種々の変更が可能である。
【００７４】
上述の実施の形態では、パトランプ１４は光源４１と反射体４２とを有していたが、本発明はこのような構成に限定されない。従って、光源のみを内部に有する照明装置であってもよい。
【００７５】
上述の実施の形態では、第二上蓋部３３Ｂにおける第四壁部３２Ｄと接する部分に傾斜した溝部１７が設けられていたが、本発明はこの構成に限定されない。従って、第二上蓋部３３Ｂの全体が傾斜を有する構成であってもよいし、第一上蓋部３３Ａ全体が傾斜を有する構成であってもよい。また、第一上蓋部３３Ａに傾斜した溝部が形成されていてもよい。なおこの構成とすることにより、第一上蓋部３３Ａ上に進入した遊技球をスムーズに左右端に誘導して下方に落下させることが可能となるので、第一上蓋部３３Ａ上に遊技球が詰まってしまって遊技進行を妨げてしまう不具合の発生を防止することが可能となる。
【００７６】
上述の実施の形態では、パトランプ１４の上蓋部３３には凹凸（第一上蓋部３３Ａ、第二上蓋部３３Ｂ）が設けられているが、本発明はこの形状に限定されない。従って、上蓋部３３形状は平らであってもよい。なお、上蓋部３３を平らとすることにより、周辺機器とパトランプ１４との間の隙間の形成を抑制することが可能となるので、遊技球の通流阻害をより効果的に防止することが可能となる。
【００７７】
上述の実施の形態では、パトランプ１４の周壁部３２のうち、第二壁部３２Ｂ及び第三壁部３２Ｃには、ネジ穴３５及び３６が設けられた凹部３４が形成されているが、本発明はこの形状に限定されない。従って、凹部３４は形成されていなくてもかまわない。なお、第二壁部３２Ｂ及び第三壁部３２Ｃを平らとすることにより、周辺機器とパトランプ１４との間の隙間の形成を抑制することが可能となるので、遊技球の通流阻害をより効果的に防止することが可能となる。
【００７８】
上述の実施の形態では、光源４１は第一光源４１Ａと第二光源４１Ｂとから構成されているが、本発明はこの構成に限定されない。従って、光源が一つの構成であってもよい。また、光源４１は、放射光が周囲全体に均一に放射されるように調整されていてもよいし、特定方向にのみ放射されるように調整されていてもよい。
【００７９】
上述の実施の形態では、反射体４２は内部に空洞部を有する略半球体形状を有していたが、本発明はこの形状に限定されない。従って、光源４１より放射される光を反射して周囲に照射することが可能であれば、他の形状を有していてもかまわない。
【００８０】
本実施の形態では、パトランプ１４はクルーン６０の右側に位置しており、遊技盤２の左右方向略中心より右側に配置された状態となっているが、本発明はこの配置に限定されない。具体的には例えば、遊技盤２の構成を左右対称に構成してもよい。このような場合、パトランプ１４に対して右側より遊技球が進入する場合も発生するが、ここでパトランプ１４の傾斜も、左から右ではなく、右から左に傾斜するように構成されてもよい。このような構成とすることにより、パトランプ１４付近に進入した遊技球を滞留させることなく流下させることが可能となる。また、パトランプ１４は遊技盤２の左右方向の中心位置に配置されていてもよい。この場合、パトランプ１４に設けられている溝部１７の傾斜は、右方に下降するように傾斜していてもよいし、左方に下降するように傾斜していてもよい。
【図面の簡単な説明】
【００８１】
【図１】遊技機１の正面図である。
【図２】遊技盤２の正面図である。
【図３】パトランプ１４を斜め上方向から見た斜視図である。
【図４】パトランプ１４の上面図である。
【図５】パトランプ１４の背面図である。
【図６】グローブ３１を取り外した状態におけるパトランプ１４の上面図である。
【図７】グローブ３１を取り外した状態におけるパトランプ１４の正面図である。
【図８】パトランプ１４の周辺部分を斜め上方向から見た斜視図である。
【図９】パトランプ１４の周辺部分の上面図である。
【図１０】変形例におけるパトランプ１４の右側面図である。
【図１１】変形例におけるパトランプ１４の上面図である。
【符号の説明】
【００８２】
１      遊技機
２      遊技盤
１４    パトランプ
１７    溝部
１７Ａ  溝凹
１７Ｂ  溝壁
３０    基体
３１    グローブ
３２    周壁部
３２Ａ  第一壁部
３２Ｂ  第二壁部
３２Ｃ  第三壁部
３２Ｄ  第四壁部
３３    上蓋部
３３Ａ  第一上蓋部
３３Ｂ  第二上蓋部
３３Ｃ  第三上蓋部
４０    支持台
４１    光源
４１Ａ  第一光源
４１Ｂ  第二光源
４２    反射体
４２Ａ  開口部
４３    回動部
４４    架設部
４７、４９    制御基板
７０    入賞案内平面
１００，１０１  ＣＰＵ
【図１】
2010035839.tif 000003
【図２】
2010035839.tif 000004
【図３】
2010035839.tif 000005
【図４】
2010035839.tif 000006
【図５】
2010035839.tif 000007
【図６】
2010035839.tif 000008
【図７】
2010035839.tif 000009
【図８】
2010035839.tif 000010
【図９】
2010035839.tif 000011
【図１０】
2010035839.tif 000012
【図１１】
2010035839.tif 000013